(57)【要約】【課題】本発明は、生体情報測定装置に関するもので、測定誤差を抑制することを目的とする。【解決手段】そしてこの目的を達成するために本発明は、センサ挿入口２およびこのセンサ挿入口２後方に配置したセンサ接続室７を有する本体ケース１と、この本体ケース１内の前記センサ接続室７に配置した接続部と、この接続部に接続した測定部と、この測定部に接続されるとともに、前記センサ接続室に配置した温度センサ８とを備え、前記本体ケース１の外表面に、前記接続部に接続された血糖値センサ５をセンサ挿入口２から本体ケース１外に排出する操作部３を配置するとともに、この操作部３には、前記センサ接続室７に配置したピストン１０を連結した。【選択図】図２
2012208054.tif 000002
【特許請求の範囲】
【請求項１】
センサ挿入口およびこのセンサ挿入口後方に配置したセンサ接続室を有する本体ケースと、この本体ケース内の前記センサ接続室に配置した接続部と、この接続部に接続した測定部と、この測定部に接続されるとともに、前記センサ接続室に配置した温度センサとを備え、
前記本体ケースの外表面に、前記接続部に接続された生体情報測定センサをセンサ挿入口から本体ケース外に排出する操作部を配置するとともに、この操作部には、前記センサ接続室に配置した換気手段を連結した生体情報測定装置。
【請求項２】
換気手段は、操作部に連結したピストンと、このピストン外周の外筒により構成した請求項１に記載の生体情報測定装置。
【請求項３】
本体ケースには、外筒内をピストンがセンサ挿入口側に移動するときに開口し、前記外筒内をピストンがセンサ挿入口とは反対側に移動するときに閉口する第１の開閉弁を設けた請求項２に記載の生体情報測定装置。
【請求項４】
本体ケース内には、外筒内をピストンがセンサ挿入口側に移動するときに閉口し、前記外筒内をピストンがセンサ挿入口とは反対側に移動するときに開口する第２の開閉弁を設けた請求項３に記載の生体情報測定装置。
【発明の詳細な説明】
【技術分野】
【０００１】
本発明は、たとえば、血液中から血糖値などの生体情報を測定する生体情報測定装置に関するものである。
【背景技術】
【０００２】
従来のこの種、生体情報測定装置は、センサ挿入口およびこのセンサ挿入口後方に配置したセンサ接続室を有する本体ケースと、この本体ケース内の前記センサ接続室に配置した接続部と、この接続部に接続した測定部と、この測定部に接続されるとともに、前記センサ接続室に配置した温度センサとを備えた構成となっていた（なおこれに類似する先行文献としては、下記特許文献１が存在する）。
【０００３】
すなわち、血糖値センサをセンサ挿入口から本体ケース内に挿入して測定部に電気的に接続し、この測定部で測定した測定値を、温度センサによって検出した検出温度によって補正し、血糖値を測定するようになっていた。
【先行技術文献】
【特許文献】
【０００４】
【特許文献１】国際公開第２００５／０００１１４号
【発明の概要】
【発明が解決しようとする課題】
【０００５】
前記従来例における課題は、本体ケース内の温度が上昇すると、上述した測定値の温度補正が適切に行われず、測定誤差が発生してしまう、ということであった。
【０００６】
すなわち、生体情報測定器の本体ケースは、水や埃などが侵入するのを抑制するために、開口部は、前記センサ挿入口のみと、最小限のものとしており、その結果として、この本体ケース内は、測定場所である室温、あるいは外気温よりも高くなってしまうことがある。
【０００７】
そして、この高くなってしまった温度で上述した測定値の温度補正を行うと、結論として、測定誤差が発生してしまうのであった。
【０００８】
そこで、本発明は測定誤差を抑制することを目的とする。
【課題を解決するための手段】
【０００９】
そしてこの目的を達成するために本発明は、センサ挿入口およびこのセンサ挿入口後方に配置したセンサ接続室を有する本体ケースと、この本体ケース内の前記センサ接続室に配置した接続部と、この接続部に接続した測定部と、この測定部に接続されるとともに、前記センサ接続室に配置した温度センサとを備え、前記本体ケースの外表面に、前記接続部に接続された生体情報測定センサをセンサ挿入口から本体ケース外に排出する操作部を配置するとともに、この操作部には、前記センサ接続室に配置した換気手段を連結した構成とし、これにより、所期の目的を達成するものである。
【発明の効果】
【００１０】
以上のように本発明は、センサ挿入口およびこのセンサ挿入口後方に配置したセンサ接続室を有する本体ケースと、この本体ケース内の前記センサ接続室に配置した接続部と、この接続部に接続した測定部と、この測定部に接続されるとともに、前記センサ接続室に配置した温度センサとを備え、前記本体ケースの外表面に、前記接続部に接続された生体情報測定センサをセンサ挿入口から本体ケース外に排出する操作部を配置するとともに、この操作部には、前記センサ接続室に配置した換気手段を連結した構成としたものであるので、測定誤差を抑制することが出来る。
【００１１】
すなわち、本発明においては、測定後の生体情報測定センサをセンサ挿入口から本体ケース外に排出すべく操作部を操作すると、それに連動して換気手段が駆動され、その結果として、この毎回の排出動作に連動し、センサ接続室の換気が行われることとなる。
【００１２】
このため、温度センサを配置したセンサ接続室の温度は、検出環境である室温、または外気温と近似した状態とすることができ、この結果、温度センサで検出した検出温度で測定値を温度補正した場合には、測定誤差の小さいものとすることができるものである。
【図面の簡単な説明】
【００１３】
【図１】本発明の一実施形態に係る生体情報測定装置の斜視図
【図２】同、断面図
【図３】同、断面図
【図４】同、断面図
【図５】同、断面図
【図６】同、断面図
【発明を実施するための形態】
【００１４】
図１において、１は本体ケースで、この本体ケース１の先端側には、センサ挿入口２が設けられ、また、この本体ケース１の上面で、センサ挿入口２側には操作部３が配置され後方側には、表示部４が配置されている。
【００１５】
すなわち、血糖値センサ（生体情報測定センサの一例）５の後方に設けた接続端子６を、センサ挿入口２から、その後方のセンサ接続室７に挿入し、その状態で、血糖値センサ５の前方に設けた点着部（図示せず）に血液を点着すれば、測定部（図示せず）で血糖値が測定され、表示部４に表示されるようになっている。
【００１６】
図２は、上述したように、血糖値センサ（生体情報測定センサの一例）５の後方に設けた接続端子６を、センサ挿入口２から本体ケース１内のセンサ接続室７に挿入した状態を示している。この状態において、血糖値センサ５の接続端子６は、接続部（図示せず）に電気的、機械的に接続された状態となっており、この接続部を介して、接続端子６は、測定部（図示せず）に接続されている。
【００１７】
また、この測定部には、センサ接続室７に配置した温度センサ８が接続されている。つまり、測定部で測定した血糖値を、温度センサ８で検出した検出温度によって補正し、その補正後の血糖値を表示部４に表示させるようになっている。
【００１８】
以下、本実施形態における特徴点である血糖値センサ５の排出とセンサ接続室７の換気について説明する。
【００１９】
前記センサ接続室７内において、操作部３の押出部９は、図２のごとく、血糖値センサ５の後端に当接されているので、測定後の血糖値センサ５をセンサ挿入口２から、図３、図４のごとく、本体ケース１外に排出する時には、操作部３を前方側へと操作する。すると、操作部３の押出部９によって血糖値センサ５は、図２〜図４のごとく、本体ケース１外へと押し出されることになる。
【００２０】
このとき、これら図２〜図４から理解されるように、操作部３に連結したピストン１０が外筒１１内を前方へと移動させられる。前記外筒１１の後方側のピストン室１２には、２つの開閉弁１３、１４が連結されている。
【００２１】
具体的には、開閉弁１３は、本体ケース１の操作部３下方で、本体ケース１外とピストン室１２内間に配置されたものであって、操作部３によって、ピストン１０が前方に操作される時には、図３のごとく、開口するようになっている。また、開閉弁１４は、本体ケース１内において、ピストン室１２とセンサ接続室７間に配置されたものであり、上述したピストン１０の前方への移動時には、閉口状態となっている。
【００２２】
したがって、図２〜図４のごとく、操作部３をセンサ挿入口２側へと操作した時には、開閉弁１３が開口し、図３のごとく、本体ケース１外の空気が、開閉弁１３を介して、本体ケース１内に設けたセンサ接続室７のピストン室１２に取り込まれることになる。
【００２３】
一方、この血糖値センサ５の排出が完了した後に、操作部３を図３〜図５のごとく、センサ挿入口２とは反対側へと操作したときには、開閉弁１３が閉口し、開閉弁１４が開口するので、上記ピストン室１２内に取り入れられた本体ケース１外の空気は、開閉弁１４を介して、センサ接続室７に入り、これにより、温度センサ８部分が冷却されることになる。
【００２４】
つまり、温度センサ８部分には、血糖値センサ５の排出のたびに本体ケース１外の空気が供給され、これにより、その本体ケース１外の空気で、温度センサ８は冷却されることになる。
【００２５】
このため、温度センサ８は、本体ケース１外の温度、つまり、血糖値センサ５の測定部における温度と近似する温度を検出することになり、その結果、この温度センサ８が検出した検出温度による測定部の補正は、きわめて適切なものとなり、その結果として、測定誤差を小さくすることができるものである。
【産業上の利用可能性】
【００２６】
以上のように本発明は、センサ挿入口およびこのセンサ挿入口後方に配置したセンサ接続室を有する本体ケースと、この本体ケース内の前記センサ接続室に配置した接続部と、この接続部に接続した測定部と、この測定部に接続されるとともに、前記センサ接続室に配置した温度センサとを備え、前記本体ケースの外表面に、前記接続部に接続された生体情報測定センサをセンサ挿入口から本体ケース外に排出する操作部を配置するとともに、この操作部には、前記センサ接続室に配置した換気手段を連結した構成としたものであるので、測定誤差を抑制することが出来る。
【００２７】
すなわち、本発明においては、測定後の生体情報測定センサをセンサ挿入口から本体ケース外に排出すべく操作部を操作すると、それに連動して換気手段が駆動され、その結果として、この毎回の排出動作に連動し、センサ接続室の換気が行われることとなる。
【００２８】
このため、温度センサを配置したセンサ接続室の温度は、検出環境である室温、または外気温と近似した状態とすることができ、この結果、温度センサで検出した検出温度で測定値を温度補正した場合には、測定誤差の小さいものとすることができるものである。
【００２９】
したがって、たとえば、血液中から血糖値などの生体情報を測定する生体情報測定装置として広く活用が期待できるものである。
【符号の説明】
【００３０】
１  本体ケース
２  センサ挿入口
３  操作部
４  表示部
５  血糖値センサ
６  接続端子
７  センサ接続室
８  温度センサ
９  押出部
１０  ピストン
１１  外筒
１２  ピストン室
１３，１４  開閉弁
【図１】
2012208054.tif 000003
【図２】
2012208054.tif 000004
【図３】
2012208054.tif 000005
【図４】
2012208054.tif 000006
【図５】
2012208054.tif 000007
【図６】
2012208054.tif 000008